(57)【要約】  【課題】モズクやトコロテンなどのような水切りを要する製品の入った容器における水切り構造に関し、強度の強い容器側壁に排水孔を配設可能とすることで、排水孔の強度上の不安を解消し、信頼性の高い水切り構造を実現することで消費者に安心感を与える。  【解決手段】本考案は、容器の開口封止用の薄いシートやフィルムではなく、強度と剛性に富んだ容器側壁に水切り用の排水孔を開けてあるため、水や製品の重みで排水孔が容易に変形したり損傷する恐れはなく、信頼性の高い排水孔となる。しかも、剛性の高い容器側壁からは、止水ステッカーが剥がし易いので、排水時の傾け角度が小さいことと相まって、子どもや高齢者でも容易に取り扱える。さらに、容器側壁に排水孔が開いているので、容器中の残存水の水位設定がより容易になる。【選択図】図１
0003132268.tif 000002
【実用新案登録請求の範囲】
【請求項１】
上端開口が薄いシートないしフィルムで密封され、しかも水切りを要する製品を収納する容器において、
前記容器の上端開口寄りの側壁に、水切り用の排水孔を開けてあることを特徴とする水切り構造。
【請求項２】
前記の排水孔が、容器側壁の平坦部および／又は隣接するコーナー部に配設されていることを特徴とする請求項１に記載の水切り構造。
【請求項３】
前記の排水孔が、Ｓ字状ないし〜状に曲がった形状であることを特徴とする請求項１または請求項２に記載の水切り構造。
【請求項４】
前記排水孔を構成する単一の排水孔の幅又は内径が、0.５ｍｍ以下のサイズであることを特徴とする請求項１、請求項２または請求項３に記載の水切り構造。      
【請求項５】
側壁外面の前記排水孔より下側の位置に、水位用の目印を付けてあることを特徴とする請求項１から請求項４までのいずれかの項に記載の水切り構造。
【考案の詳細な説明】
【技術分野】
【０００１】
本考案は、例えばモズクやトコロテンなどのような、水切りを要する製品の入った容器における水切り構造に関する。
【背景技術】
【０００２】
特開平11-59749号において、モズクやトコロテン等が入れられている容器で、特に、食する際に水を排出させることが必要な水切り容器を改良すべく、収納部の開口縁を閉じた薄膜カバーに流出口を形成し、前記流出口に剥離可能にシールを貼着してなる水切り容器の構成が提案されている。
【特許文献１】特開平11-59749号
【考案の開示】
【考案が解決しようとする課題】
【０００３】
しかしながら、特許文献１のように、収納部の開口縁をシールして密封している薄膜カバーに流出口を形成してあるため、水や製品の重みで薄膜カバーの排水用の流出口が破損する恐れがある。少なくとも、薄膜カバーは薄いために、水や製品の重みで容易に変形したり、撓んだりするので、消費者が見ていると、不安であるし、強度の上で信頼性に欠ける。本考案の技術的課題は、このような問題に着目し、強度の強い容器側壁に排水孔を配設可能とすることで、排水孔の強度上の不安を解消し、信頼性の高い水切り構造を実現することで消費者に安心感を与えることにある。
【課題を解決するための手段】
【０００４】
本考案の技術的課題は次のような手段によって解決される。請求項１は、上端開口が薄いシートないしフィルムで密封され、しかも水切りを要する製品を収納する容器において、
前記容器の上端開口寄りの側壁に、水切り用の排水孔を開けてあることを特徴とする水切り構造である。
【０００５】
水の重みや製品の重みで容易に変形しやすい薄いシートやフィルムに水切り用の排水孔を設けてあると、水や製品の重みで排水時に排水孔が容易に変形したり破損する恐れがあり、信頼性に欠けるし、薄くて剛性の低い開口封止シートの上からは、止水シールが剥がし難い。これに対し、請求項１のように、開口封止用の薄いシートやフィルムではなく、強度と剛性に富んだ容器側壁に水切り用の排水孔を開けてあるため、水や製品の重みで排水孔が容易に変形したり損傷する恐れはなく、信頼性の高い排水孔となる。しかも、剛性の高い容器側壁からは、排水孔を塞ぐ止水ステッカーが剥がし易いので、排水時の傾け角度が小さいことと相まって、子どもや高齢者でも容易に取り扱える。さらに、容器側壁に排水孔が開いているので、容器中の残存水の水位設定が容易になる。
【０００６】
請求項２は、前記の排水孔が、容器側壁の平坦部および／又はコーナー部に配設されていることを特徴とする請求項１に記載の水切り構造である。強度の高い容器側壁に排水孔を設ける場合は、請求項２のように、前記排水孔を、容器側壁の平坦部に設けることもできるし、コーナー部に配設することもでき、自由度が高まり、しかも排水孔を複数か所に形成できる。また、排水孔を、容器側壁の平坦部とコーナー部の双方に配設する場合は、片方が内容物で詰まりそうになったら、他方の排水孔側が低くなるように倒し、他方の排水孔が詰まりそうになったら、前記片方の排水孔側が低くなるように交互に傾ければ、常に詰まるのを防止しながら、円滑に排水できる。
【０００７】
請求項３は、前記の排水孔が、図３のように、Ｓ字状ないし〜状に曲がった形状であることを特徴とする請求項１または請求項２に記載の水切り構造である。このように、前記の排水孔がＳ字状ないし〜状に曲がった形状であるため、モズクなどがＳ字状や〜状に変形して、排水孔を塞いでしまうという恐れは少なく、柔軟性の高い紐状のモズクによって排水孔が塞がってしまうといった問題が解消される。
【０００８】
請求項４は、前記排水孔を構成する単一の排水孔の幅又は内径が、0.５ｍｍ以下のサイズであることを特徴とする請求項１、請求項２または請求項３に記載の水切り構造である。モズクの太さは、殆どが０．６ｍｍ以上であるため、前記のように、単一の排水孔の幅又は内径が0.５ｍｍ以下のサイズであると、モズクが排水孔から漏れ出す恐れがない。
【０００９】
請求項５は、側壁外面の排水孔より下側の位置に、水位用の目印を付けてあることを特徴とする請求項１から請求項４までのいずれかの項に記載の水切り構造である。このように、側壁外面の排水孔より下側の位置に、水位用の目印を付けてあるので、容器内側からも排水孔がよく見えて水位の目安になることと相まって、残存水位の確認が容易で、たれなどを追加したりする場合にも役立つ。
【考案の効果】
【００１０】
請求項１のように、開口封止用の薄いシートやフィルムではなく、強度と剛性に富んだ容器側壁に水切り用の排水孔を開けてあるため、水や製品の重みで排水孔が容易に変形したり損傷する恐れはなく、信頼性の高い排水孔となる。しかも、剛性の高い容器側壁からは、止水ステッカーが剥がし易いので、排水時の傾け角度が小さいことと相まって、子どもや高齢者でも容易に取り扱える。さらに、容器側壁に排水孔が開いているので、容器中の残存水の水位設定がより容易になる。
【００１１】
容器側壁に排水孔を設ける場合は、請求項２のように、前記排水孔を、容器側壁の平坦部に設けることもできるし、コーナー部に配設することもでき、自由度が高まり、しかも排水孔を複数か所に形成できる。また、排水孔を、容器側壁の平坦部とコーナー部の双方に配設する場合は、片方の排水孔と他方の排水孔が交互に低くなるように揺らせば、常に詰まるのを防止しながら、円滑に排水できる。
【００１２】
請求項３のように、前記の排水孔がＳ字状ないし〜状に曲がった形状であるため、モズクなどがＳ字状や〜状に変形して、排水孔を塞いでしまうという恐れは少なく、柔軟性の高い紐状のモズクによって排水孔が塞がってしまうといった問題が解消される。
【００１３】
モズクの太さは、殆どが０．６ｍｍ以上であるため、請求項４のように単一の排水孔の幅又は内径が0.５ｍｍ以下のサイズであると、モズクが排水孔から漏れ出す恐れが少ない。
【００１４】
請求項５のように、側壁外面の排水孔より下側の位置に、水位用の目印を付けてあるので、容器内側からも排水孔がよく見えて水位の目安になることと相まって、残存水位の確認が容易で、たれなどを追加したりする場合にも役立つ。
【考案を実施するための最良の形態】
【００１５】
次に本考案による容器の水切り構造が実際上どのように具体化されるか実施形態を説明する。図１は本考案による水切り構造を実施した容器１の斜視図で、合成樹脂製の底壁と側壁によって四角筒状に形成されている。上部開口は、薄い金属箔や合成樹脂のシート２などで封止されている。この封止シート２には、容器１の一のコーナー部Ｃ１側につまみ片２１を設けてある。
【００１６】
そして、このつまみ片２１と反対側の対角線上のコーナー部Ｃ２の容器側壁において、開口寄りに水切り用の排水孔Ｈを開けてある。図示例の排水孔Ｈは、スリット状の貫通孔を水平方向に５本開けてある。これらの貫通孔Ｈ…の上に、鎖線で示す止水ステッカー３を貼り着け固定することで、排水孔Ｈを塞いで水漏れを阻止している。容器１中を排水する際は、つまみ片３１を指で引っ張れば、止水ステッカー３を容器１側壁から容易に剥がして、排水孔Ｈを開けることができる。
【００１７】
この排水孔Ｈの開いたコーナー部Ｃ２と隣接する平坦部４には、多数の小孔ｈ…からなる排水孔を開けてあり、その上に、鎖線で示す止水ステッカー５を貼り着け固定することで、水漏れを阻止している。５１は剥離用のつまみ片である。各小孔ｈ…の形状は円形が適しているが、円形に限定はされない。なお、この容器１の中には、生のモズクが入っており、日持ちを良くするために水もタップリと入れてある。モズクの使用に際しては、一部を排水して水加減をすると共に、添付のたれを加えて味付けして食べる。
【００１８】
排水に際しては、図２のように、排水孔Ｈ側のコーナー部Ｃ２又は平坦部４側を下向きに倒して、止水ステッカー３および／又は５を剥がして、排水孔Ｈおよび／又はｈを開ける。また、反対側のシートつまみ片２１を引き剥がして、容器１の上端開口を部分的に開けると、外気が入るので、排水孔Ｈおよび／又はｈから円滑に排水可能となる。容器側壁に排水孔Ｈを設けてあるため、図２のように容器１を傾けた際に側壁排水孔Ｈにかかる水圧が、従来のように開口シートに開けた排水孔より大きいので、排水が容易になる。加えて、従来より排水時の傾け角αが小さくてすみ、子どもや高齢者でも容易に扱える。
【００１９】
排水の際に、排水孔Ｈやｈが内部のモズクなどで塞がってしまって円滑に排水されない場合は、排水孔Ｈとｈの両方を開けると効果的である。そして排水中に、例えばコーナー部Ｃ２側の排水孔Ｈが低いためにモズクで塞がってしまって排水困難になると、矢印ａ１方向に容器１を傾けて排水孔Ｈを上側に、排水孔ｈ側を低くすると、排水孔ｈ側から排水されて、塞いでいた側のモズクも下側の排水孔ｈ側に移動して来るので、排水孔Ｈが開く。したがって、次は、排水孔ｈ側が塞がって排水困難となるので、今度は矢印ａ２方向に容器を傾けると、モズクが少なくなった排水孔Ｈから容易に排水される。
【００２０】
そのため、容器１を矢印ａ１・ａ２方向に交互に傾けるだけで、常にどちらかの排水孔Ｈ又はｈから円滑に排水される。排水孔が１か所しか無い場合は、容器全体を倒したり、起こして元に戻したりする必要があったが、二つの排水孔Ｈ・ｈを開けて揺動すれば、交互に排水されるので、排水が確実かつ容易になる。
【００２１】
平坦部４の排水孔ｈの両側のコーナー部Ｃ２・Ｃ３それぞれに排水孔Ｈを設けると、排水がさらに確実かつ容易になる。この場合は、図２のように傾けた状態で、両方のコーナー部Ｃ２とＣ３が交互に上昇、下降するように揺らせば、三つの排水孔Ｈ・ｈ・Ｈから排水される。排水孔Ｈ・ｈ・Ｈを閉止するステッカーは、大型サイズ１枚で足りるし、その方がステッカー剥がしが簡便である。図１の閉止ステッカー３と５も一体化してもよい。
【００２２】
以上のように、容器側壁に排水孔が開いているので、排水孔Ｈ・ｈによって、容器１中の残存水の水位設定も容易になる。すなわち、添付のたれを添加して味付けするような場合、排水量が少ないと味が薄過ぎるが、容器１を立てた状態の排水孔Ｈ・ｈから溢れ出さなくなるまで予め排水すれば、排水不足を防止でき、たれによる味付けが薄過ぎるような問題は発生しない。なお、前記排水孔Ｈは容器１の内側からもよく見えるので、容器１内の残存量や残存水位の確認が容易で、内側の水位目印としても機能するが、容器１の外面に水位マーク６を設けておくと、より便利で、たれなどを追加する際にも有効である。
【００２３】
容器１の平面形状は、正方形でも長方形でもよい。円筒状や楕円形も可能である。材質は、合成樹脂製の0.１〜0.５ｍｍ程度の薄い板状が適しているが、発泡樹脂製でもよい。ただし、発泡樹脂製は強度に劣るので、厚めにする必要がある。容器中で焼きそばを湯で加熱する場合は、高温の湯を入れたり排水するので、断熱効果の高い発泡樹脂製が適している。
【００２４】
容器中に収納する品物がモズクの場合は、図３（３）のようにモズクｍの太さが０．６〜１．５ｍｍと細く、しかも柔軟性に富んでいるため、直線状の排水孔Ｈはモズクで塞がり易いという問題があるので、排水孔Ｈの形状を図３（１）のようにＳ字状に形成すると効果的である。モズクが丁度Ｓ字状に変形してＳ字状の排水孔Ｈを塞ぐことは少ないからである。図３（２）のような「〜」状の波形に形成してもよい。また、排水孔Ｈ・ｈからモズクが漏れ出さないように、排水孔Ｈ・ｈの幅をモズクの太さより小さくする必要があるので、単一の排水孔Ｈの幅は0.５ｍｍ以下のサイズにする必要がある。また、小孔ｈの場合は、その内径を0.５ｍｍ以下にする。排水孔Ｈ・ｈの孔開けは、容器１の成型後にプレスしてもよいが、容器成型時に孔開けしてもよい。
【産業上の利用可能性】
【００２５】
以上のように、本考案は、水切りを要する容器自体の上端開口寄りの側壁に水切り用の排水孔を開けてあるため、強度の強い容器側壁に排水孔を開けることになり、排水孔の強度向上が可能となるので、排水時に変形や損傷する恐れの少ない、信頼性の高い水切り構造を実現でき、消費者に安心感を与えることができる。
【図面の簡単な説明】
【００２６】
【図１】本考案による水切り構造を実施した容器の斜視図である。
【図２】図１の容器の排水状態を示す斜視図である。
【図３】モズクの形状と排水孔の形状を示す平面図である。
【符号の説明】
【００２７】
１  容器
２  封止シート
２１  つまみ片
Ｈ・ｈ  排水孔
Ｃ１・Ｃ２・Ｃ３  コーナー部
３・５  排水孔封止ステッカー
３１・５１  つまみ片
４  平坦部
ｍ  モズク
６  水位マーク
【図１】
0003132268.tif 000003
【図２】
0003132268.tif 000004
【図３】
0003132268.tif 000005
【手続補正書】
【提出日】平成19年3月23日(2007.3.23)
【手続補正１】
【補正対象書類名】実用新案登録請求の範囲
【補正対象項目名】請求項３
【補正方法】変更
【補正の内容】
【請求項３】
前記の排水孔が、Ｓ字状ないし波形に曲がった形状であることを特徴とする請求項１または請求項２に記載の水切り構造。
【手続補正２】
【補正対象書類名】明細書
【補正対象項目名】０００７
【補正方法】変更
【補正の内容】
【０００７】
請求項３は、前記の排水孔が、図３のように、Ｓ字状ないし波形に曲がった形状であることを特徴とする請求項１または請求項２に記載の水切り構造である。このように、前記の排水孔がＳ字状ないし波形に曲がった形状であるため、モズクなどがＳ字状や波形に変形して、排水孔を塞いでしまうという恐れは少なく、柔軟性の高い紐状のモズクによって排水孔が塞がってしまうといった問題が解消される。
【手続補正３】
【補正対象書類名】明細書
【補正対象項目名】００１２
【補正方法】変更
【補正の内容】
【００１２】
請求項３のように、前記の排水孔がＳ字状ないし波形に曲がった形状であるため、モズクなどがＳ字状や波形に変形して、排水孔を塞いでしまうという恐れは少なく、柔軟性の高い紐状のモズクによって排水孔が塞がってしまうといった問題が解消される。